(57)【特許請求の範囲】
【請求項１】
ポータブルトイレ防臭用の電動泡発生機本体の上部に設置された乾電池式電動ブロアー（１）の排気口に気液混合アスピレーター（２）を接続してアスピレーター吸気口下部に、発泡液貯蔵タンク（３）を設置して、同アスピレーター排気口先端に、金網入りゴム製発泡ノズル（４）を接続した構造の乾電池式電動泡発生機に於いて、スイッチ（６）をＯＮにして大量発生する泡をポータブルトイレの防臭用目的に使用することを特徴としたポータブルトイレ防臭用乾電池式電動泡発生機。
【発明の詳細な説明】
【技術分野】
【０００１】現在、病院、介護施設、居宅介護等で使用されているポータブルトイレの悪臭発生問題は十分解決されておらず、読売新聞「ヨミドクター」投稿欄で、病院、介護施設等の悪臭発生問題が頻繁に掲載されている。本発明はこのポータブルトイレの悪臭発生問題を解消する目的で、新しく排泄物泡密封防臭技術を開発し、病院、介護施設、居宅介護者にポータブルトイレ防臭用乾電池式電動泡発生機を提供行うものである。
【背景技術】
【０００２】病院入院施設、介護施設等で使用されている、ポータブルトイレの悪臭発生問題は患者間で、悪臭発生はお互いさまの理由で長年間放置されてきた。ポータブルトイレメーカでは、消臭スプレーを開発してトイレ悪臭発生問題に対応しているが、消臭スプレーの場合、一時的消臭効果は発揮できるが、消臭効果が持続しない欠陥がある。又、消臭泡スプレーも開発されているが、スプレー噴霧泡では大量泡の確保が難しくポータブルトイレバケツに泡を満杯するには、経費が掛かるため使用不可能である。
【先行技術文献】
【特許文献】
【０００３】
【特許文献１】  特許公開  ２００７−１４５０６［発明の名称］泡発生器
【特許文献２】  特許公開  ２００７−２１４６６［発明の名称］泡発生器
【特許文献３】  特許公開  ２００３−３３２９３［発明の名称］泡発生器
【特許文献４】  特許公開  ２００２−３６９７６２［発明の名称］泡発生器
【特許文献５】  特許公開  ２００１−３４７１４８［発明の名称］泡発生器
【特許文献６】  特許公開  平１１−２９０６６４［発明の名称］泡発生器
【特許文献７】  特許公開  平０６−１１３９７７［発明の名称］泡発生装置
【特許文献８】  実用新案公開  平０５−０９１４９０［考案の名称］泡発生装置
【発明の概要】
【発明が解決しようとする課題】
【０００４】ポータブルトイレバケツ内にシヤンプー泡を大量注入して、その泡の上に排泄すると完全に防臭できることが独自の実験で確認できた。防臭原理はバケツ内の排泄物全体を泡が覆ってバケツ内で排泄物が完全密封状態になるためである。しかしこのシャンプー泡防臭ポータブルトイレを患者が使用した場合、意外な課題のあることが判明した。ポータブルトイレ使用患者の多くは病人で便秘薬その他消化薬等を服用しているため大小排泄に待ったができないのである。ヘルパーが患者をトイレに連れていく途中でお漏らし、更には我慢できずにその場で排泄する患者が大勢いるのである。【０００５】ポータブルトイレ専用の防臭泡発生技術開発には、先ずポータブルトイレバケツ内に数秒間で泡を満杯にする泡大量発生技術が必要である。現在市販されている手動式泡ボトルで、ポータブルトイレバケツに泡を満杯注入するには、患者独自が泡を発生させた場合、約３分、介助者が泡を発生させた場合でも、約２分を要することが実験で確認された。病人使用ポータブルトイレの場合、病人が排泄意志表示と同時に泡をバケツに迅速注入する必要性があるため、泡注入に２分以上かかったのでは高齢患者排泄介助は必ず失敗する恐れがある。手動式泡ボトルを使用してポータブルトイレ泡防臭行うことは、バケツ泡注入に時間がかりすぎるため使用は不可能である。
【課題を解決するための手段】
【０００６】ポータブルトイレバケツ内に防臭泡を大量、しかも迅速に注入行う方法として新たに乾電池式電動泡発生機の開発を行った。電動式泡発生機を使用すればポータブルトイレバケツ内に泡を大量、数秒間で注入することは容易である。現在小型電動式泡発生機が、すでに開発されて理髪店で髭剃り用、又高級ホテルの洗面所等で使用されているが、大量泡発生が可能な電動式泡発生機は過去に於いても、現在に於いても開発されていない。開発されなかった理由は、これまで大量泡を発生させても有効使用、又大量発生させた泡を販売する用途が全く無かったものと思われる。【０００７】電動式泡発生源動力には、電源コードを必要とせず、軽量で手軽に使用できる、乾電池式電動ブロアーを採用した、泡発生機本体上部に乾電池式ブロアーを設置し、ブロアー排気口に気液混合アスピレーターを接続し更にアスピレーター吸気口下部に発泡液貯蔵タンクを設置して、同アスピレーター排気口に、８０メッシュ金網入ゴム製発泡ノズルを接続した構造の試作電動式泡発生機を使用して長時間泡発生実験行った結果、誠ポータブルトイレ防臭に適した泡が大量得られたものである。この実験成功によって、乾電池式電動泡発生機の商品化に自信を得たものである。【０００８】本発明の新規性は、乾電池式ブロアー排気口に気液混合アスピレーターを接続して異例のブロアー空気をアスピレーターに送入する方法で、アスピレーター吸気管から下部タンク内シヤンプー液を吸収して同アスピレーター排気口先端に接続した、８０メッシュ金網入ゴム製発泡ノズルから、大量の泡を発生させた技術開発である。比較的風圧の弱い乾電池式ブロアーの風圧を利用して、アスピレーターから気泡混合泡を大量発生させた技術開発には、風圧抵抗の少ない８０メッシュ金網入ゴム製ノズルの開発がなければ、本発明乾電池式電動泡発生機の成功はなかったものと思われる。
【発明の効果】
【０００９】既存ポータブルトイレバケツ内に泡を大量注入してその上に排泄行う方法で、容易にトイレの悪臭発生防止ができることは、実に画期的な排泄介護法が実現できるもので特に病院入院室、介護施設、居宅介護患者宅等で、ポータブルトイレ使用時の悪臭発生が完全に防臭できれば、患者は勿論、家族、ヘルパー、同室入院患者の皆さん全員、ポータブルトイレ使用の悩みが全て解消される訳である。防臭に使用される泡原液は数倍に希釈使用でき、更に発泡液は泡膨張するため、泡液の消耗は実に少量で格安である。こんな経済的な、ポータブルトイレ防臭技術がこれまで開発出来なかった理由は、電動式大量泡発生機を開発して、大量泡を有効使用、又は販売する商法に誰も気着かなかった事と思われる。従来のポータブルトイレ悪臭発生問題が完全になくなることで、これより介護施設の環境が大きく変わるものと思われる。
【図面の簡単な説明】
【００１０】
【図１】本体平面図
【図２】本体側面図
【図３】金網入ゴム製ノズル側面図
【図４】本体立体図
【発明を実施するための形態】
【００１１】ポータブルトイレ専用、防臭目的の乾電池式電動泡発生機を開発行ったものである。ポータブルトイレは主に病人高齢者が使用するため、排泄介護の使用条件を考慮する必要がある。患者の排泄に安全を期すため、ヘルパー、介助者等は患者に付き添って排泄介助行うことが多い。本発明ポータブルトイレ専用防臭乾電池式電動泡発生機使用の場合、基本的にヘルパー、介助者は患者の排泄意志表示と同時にポータブルトイレバケツ内に迅速泡を大量注入する必要性がある。更に患者排泄終了後バケツを取り出して、泡混合排泄物を施設水洗トイレに流した後、バケツを洗浄して元のポータブルトイレに収納することが、ポータブルトイレ防臭使用の形態である。
【実施例】
【００１２】試作、ポータブルトイレ用乾電池式電動泡発生機を使用してポータブルトイレバケツ内に泡を大量注入した後、ポータブル便座の上に患者を座らせて排泄させた。患者の排泄物、（大）、は泡の中に自然沈降してバケツの底に溜まったが、その間、悪臭は全く発生しなかった。最後患者が中腰になって陰部を拭き取ったトイレットペーパーをバケツ泡の中に投入したが、その間少し臭った。小便使用の場合は大便同様に悪臭は全く発生しない。排泄が終了して患者をベッドに連れ戻した後、介助者は時間を置いて排泄物入りバケツを取り出し施設水洗トイレに排泄物を流した後バケツを洗浄して元のポータブルトイレに収納し、無事ポータブルトイレ防臭排泄介助の全てが終了したが、その後、患者が排泄した室内にトイレの悪臭は全く残らなかった。
【産業上の利用可能性】
【００１３】現在、患者が使用中の既存又は新品ポータブルトイレが、悪臭を発生させるかぎり、病院、介護施設、居宅介護患者に、ポータブルトイレ専用、防臭電動泡発生機の需要は多々あるものと思われる。防臭泡液を大量使用しても泡消耗費は消臭スプレー使用経費に比較すれば実に安価なものである。ポータブルトイレの悪臭発生が泡で簡単に解決できれば、患者居住室の環境が画期的に改善されるものと思われる。【００１４】ポータブルトイレ専用、防臭電動泡発生機の需要は、既存ポータブルトイレ使用数とほぼ同等になる可能性があることから、中小企業でポータブルトイレ専用、防臭電動泡発生機を生産すれば、産業上の利用可能性は膨大である。更にポータブルトイレは外国でも介護用に多く使用されていることから、新しくポータブルトイレ専用、防臭電動泡発生機の海外輸出産業にも大きく貢献できることが予想されるものである。
【符号の説明】
【００１５】１    乾電池式電動フアン
２    気液混合アスピレーター
３    発泡液貯蔵タンク
４    金網入ゴム製発泡ノズル
５    ８０メッシュ発泡金網
６    電池スイッチ
７    単１乾電池室
８    発泡液注入口
９    泡噴射口
１０  グリップ取手
【要約】      （修正有）【課題】悪臭発生問題について各ポータブルトイレ製造メーカでは長年防臭技術開発が行なわれてきたが現在に至っても解消されていないのがポータブルトイレの実態である。消臭スプレー、消臭泡スプレー噴霧の場合、一時的消臭効果は発揮できるが長時間消臭効果が得られない大きな欠陥のあることがこれまで指摘されていた。ポータブルトイレの悪臭発生を解消するポータブルトイレ防臭用乾電池式電動泡発生機を提供する。【解決手段】乾電池式ブロアー排気口に気液混合アスピレーター２を接続してブロアー空気を送入する方法で、アスピレーター吸気管から発泡液貯蔵タンク３内のシヤンプー液を吸収してアスピレーター排気口先端に接続し、金網入ゴム製発泡ノズル４から、大量の泡を発生させポータブルトイレバケツ内の全体を覆って完全密封状態にする。【選択図】図２【図１】
0005763825.tif 000002
【図２】
0005763825.tif 000003
【図３】
0005763825.tif 000004
【図４】
0005763825.tif 000005